(57)【特許請求の範囲】
【請求項１】
被検体に投与された放射性薬剤の情報を取得する放射性薬剤情報取得部と、
前記被検体の核医学診断画像にもとづいて放射性薬剤の集積臓器および集積量を同定し、この同定した集積量にもとづいて前記放射性薬剤の投与時以降の所定時点における前記被検体の臓器の被ばく線量を求める被ばく線量管理部と、
を備え、
前記被ばく線量管理部は、
前記集積臓器の放射性薬剤集積モデルと前記同定した集積量とにもとづいて前記放射性薬剤の投与時以降における前記集積臓器の放射性薬剤の濃度の時間変化を求めることにより、前記放射性薬剤の投与時以降の所定時点における前記集積臓器の被ばく線量を求める、
被ばく線量管理システム。
【請求項２】
被検体に投与された放射性薬剤の情報を取得する放射性薬剤情報取得部と、
前記被検体の核医学診断画像にもとづいて放射性薬剤の集積臓器および集積量を同定し、この同定した集積量にもとづいて前記放射性薬剤の投与時以降の所定時点における前記被検体の臓器の被ばく線量を求める被ばく線量管理部と、
を備え、
前記被ばく線量管理部は、
前記放射性薬剤の投与時以降のデータ収集時点以外の所定時点における前記集積臓器の周辺臓器の被ばく線量をさらに求める、
被ばく線量管理システム。
【請求項３】
被検体に投与された放射性薬剤の情報を取得する放射性薬剤情報取得部と、
前記被検体の核医学診断画像にもとづいて放射性薬剤の集積臓器および集積量を同定し、この同定した集積量にもとづいて前記放射性薬剤の投与時以降の所定時点における前記被検体の臓器の被ばく線量を求める被ばく線量管理部と、
を備え、
前記被ばく線量管理部は、
前記被検体に投与された放射性薬剤の情報と同定した前記集積量とにもとづいて血管及び膀胱に排出される放射性薬剤の量を同定し、放射性薬剤血管対流モデルと同定した前記血管及び膀胱に排出される放射性薬剤の量とにもとづいて前記放射性薬剤の投与時以降における血管内の放射性薬剤の濃度の時間変化を求めることにより、前記放射性薬剤の投与時以降の所定時点における血管の周辺臓器の被ばく線量を求める、
被ばく線量管理システム。
【請求項４】
被検体に投与された放射性薬剤の情報を取得する放射性薬剤情報取得部と、
前記被検体の核医学診断画像にもとづいて放射性薬剤の集積臓器および集積量を同定し、この同定した集積量にもとづいて前記放射性薬剤の投与時以降の所定時点における前記被検体の臓器の被ばく線量を求める被ばく線量管理部と、
を備え、
前記被ばく線量管理部は、
前記被検体に投与された放射性薬剤の情報と同定した前記集積量とにもとづいて血管及び膀胱に排出される放射性薬剤の量を同定し、放射性薬剤泌尿器排出モデルと同定した前記血管及び膀胱に排出される放射性薬剤の量とにもとづいて前記放射性薬剤の投与時以降における泌尿器内の放射性薬剤の濃度の時間変化を求めることにより、前記放射性薬剤の投与時以降の所定時点における泌尿器の被ばく線量を求める、
被ばく線量管理システム。
【請求項５】
前記被ばく線量管理部は、
前記放射性薬剤の投与時以降の所定時点における前記泌尿器の周辺臓器の被ばく線量をさらに求める、
請求項４記載の被ばく線量管理システム。
【請求項６】
前記被ばく線量管理部は、
前記放射性薬剤の投与時以降の所定時点における前記被検体の臓器の被ばく線量を示す画像を人体画像に重畳した臓器被ばく線量マップ画像を生成し、ディスプレイに表示させる、
請求項１ないし５のいずれか１項に記載の被ばく線量管理システム。
【請求項７】
前記人体画像は、
前記被検体のＸ線ＣＴ画像、前記被検体のＭＲＩ画像、または放射線吸収係数で表現された人体構造モデル、のいずれかである、
請求項６記載の被ばく線量管理システム。
【請求項８】
前記被ばく線量管理部は、
前記人体画像の皮膚の画像は所定の透明度で示すとともに、所定以上の被ばく線量を有する前記被検体の臓器の画像は前記皮膚の透明度よりも低い透明度かつ各臓器の被ばく線量に応じた表示態様で示すように、前記臓器被ばく線量マップ画像を生成する、
請求項６または７に記載の被ばく線量管理システム。
【請求項９】
前記被ばく線量管理部は、
前記人体画像上に第１の放射線照射工程における前記被検体の被ばく線量および被ばく領域と、前記第１の放射線照射工程より後の第２の放射線照射工程における前記被検体の被ばく線量および被ばく領域と、の総和を示す画像を前記人体画像の皮膚に重畳した皮膚被ばく線量マップ画像を生成し、前記ディスプレイに表示させる、
請求項６ないし８のいずれか１項に記載の被ばく線量管理システム。
【請求項１０】
前記被ばく線量管理部は、
各放射線照射工程の実施日時から所定日時までの経過時間と前記被ばく線量および被ばく領域とにもとづいて決まる回復度にもとづいて、未回復の被ばく線量および未回復の被ばく領域の総和をそれぞれ求め、この総和を示す画像を前記人体画像の皮膚に重畳して前記皮膚被ばく線量マップ画像を生成する、
請求項９記載の被ばく線量管理システム。
【請求項１１】
前記被ばく線量管理部は、
ユーザによる入力回路を介した指示に応じて、前記臓器被ばく線量マップ画像および前記皮膚被ばく線量マップ画像を前記ディスプレイに切り替え表示する、
請求項９または１０に記載の被ばく線量管理システム。
【請求項１２】
前記被ばく線量管理部は、
前記人体画像の皮膚の画像は所定の透明度で示すとともに、所定以上の被ばく線量を有する前記被検体の臓器の画像は前記皮膚の透明度よりも低い透明度かつ各臓器の被ばく線量に応じた表示態様で示すように、前記臓器被ばく線量マップ画像を生成するとともに、前記被ばく領域のそれぞれの画像を前記所定の透明度かつ各被ばく領域の被ばく線量に応じた表示態様で示した前記皮膚被ばく線量マップ画像を生成し、前記臓器被ばく線量マップ画像の前記所定の透明度を有する前記人体画像の前記皮膚の画像に対して、前記皮膚被ばく線量マップ画像を重畳する、
請求項９または１０に記載の被ばく線量管理システム。
【発明の詳細な説明】
【技術分野】
【０００１】
本発明の実施形態は、被ばく線量管理システムに関する。
【背景技術】
【０００２】
患者の疾患を把握するために、Ｘ線診断装置やＸ線ＣＴ(computed tomography)装置などによるＸ線照射をともなう検査や、ＳＰＥＣＴ（Single Photon Emission Computed Tomography）装置やＰＥＴ（Positron Emission Tomography）装置などの核医学診断装置などによる放射性薬剤を用いた検査などが行われることがある。この場合、Ｘ線や放射性薬剤に含まれる放射性同位元素から放出されるガンマ線による患者の被ばく線量を極力低減し、さらには被ばく障害のリスクを把握する観点から、患者の被ばく線量を管理することが重要である。
【０００３】
一般に、１回の検査で診断および治療が完結することは少ない。たとえば、Ｘ線ＣＴ装置による診断、アンギオ装置による治療、およびＸ線ＣＴ装置や核医学診断装置による術後確認などといった複数回の工程の後に、診断および治療が完結する。このため、１検査内の被ばく線量管理では不十分であり、複数回の検査に応じた被ばく線量管理を行なうことが重要である。
【０００４】
また、核医学診断装置を利用する場合、検査よりも前に患者に対して放射性薬剤が投与される。また、検査後にも、患者の体内から放射性薬剤に含まれる放射性同位元素が残留し続ける。このため、核医学診断装置を利用する場合、放射性薬剤を投与された患者は、検査前に投与された時から検査終了後の所定期間にわたり、体内に残留している放射性同位元素によって被ばくし続けてしまう。したがって、核医学診断装置を利用した検査を行う場合にはさらに、検査終了後の所定期間にわたり放射線薬剤による被ばく線量を管理することが好ましい。
【先行技術文献】
【特許文献】
【０００５】
【特許文献１】国際公開第２０１４／０７７３６１号
【発明の概要】
【発明が解決しようとする課題】
【０００６】
本発明は、上述した事情を考慮してなされたもので、被検体に投与された放射性薬剤による被ばく線量の影響を考慮して被ばく線量管理を行うことができる被ばく線量管理システムを提供することを目的とする。
【課題を解決するための手段】
【０００７】
本発明の一実施形態に係る被ばく線量管理システムは、上述した課題を解決するために、被検体に投与された放射性薬剤の情報を取得する放射性薬剤情報取得部と、前記被検体の核医学診断画像にもとづいて放射性薬剤の集積臓器および集積量を同定し、この同定した集積量にもとづいて前記放射性薬剤の投与時以降の所定時点における前記被検体の臓器の被ばく線量を求める被ばく線量管理部と、を備えたものである。
【図面の簡単な説明】
【０００８】
【図１】本発明の一実施形態に係る被ばく線量管理システムの一例を示すブロック図。
【図２】人体構造モデルＭの一例を示す説明図。
【図３】特定の臓器の放射性薬剤の時間変化の一例を示す説明図。
【図４】血管内の放射性薬剤の濃度の時間変化の一例を示す説明図。
【図５】泌尿器からの放射性薬剤の排出量の時間変化の一例を示す説明図。
【図６】図１に示す処理回路により、被検体に投与された放射性薬剤による被ばく線量の影響を考慮して被ばく線量管理を行う際の手順の一例を示すフローチャート。
【図７】図６のステップＳ３で人体画像管理機能により実行される人体画像管理処理の手順の一例を示すサブルーチンフローチャート。
【図８】図６のステップＳ４で被ばく線量管理機能により実行される被ばく線量管理処理の手順の一例を示すサブルーチンフローチャート。
【図９】図６のステップＳ５で被ばく線量管理機能により実行される被ばく線量マップ表示処理の手順の一例を示すサブルーチンフローチャート。
【図１０】臓器被ばく線量マップ画像ＭＰｏの一例を示す説明図。
【図１１】皮膚被ばく線量マップ画像ＭＰｓの一例を示す説明図。
【図１２】図１に示す処理回路により、Ｘ線照射工程による被ばく線量を経時的に管理する処理を行う際の手順の一例を示すフローチャート。
【発明を実施するための形態】
【０００９】
本発明に係る被ばく線量管理システムの実施の形態について、添付図面を参照して説明する。本発明の一実施形態に係る被ばく線量管理システムは、少なくとも核医学診断装置から核医学診断画像および被検体に投与された放射性薬剤の情報を取得可能するものである。
【００１０】
図１は、本発明の一実施形態に係る被ばく線量管理システム１０の一例を示すブロック図である。
【００１１】
図１に示すように、被ばく線量管理システム１０は、ＰＥＴ装置１１０、ＳＰＥＣＴ装置１２０、Ｘ線ＣＴ装置１３０、Ｘ線アンギオ装置１４０、Ｘ線透視撮影（Ｘ−ｒａｙ  Ｒ／Ｆ）装置１５０、Ｘ線一般撮影装置１６０、ＭＲＩ装置１７０と、ネットワークを介してデータ送受信可能に接続される。
【００１２】
ＰＥＴ装置１１０およびＳＰＥＣＴ装置１２０は、被検体に投与された放射性薬剤が特定の病変部に集積する性質を利用して被検体の核医学診断画像としてのＰＥＴ画像およびＳＰＥＣＴ画像をそれぞれ生成する核医学診断装置である。ＰＥＴ装置１１０およびＳＰＥＣＴ装置１２０は、被検体に投与された放射性薬剤に含まれる核種（ＲＩ）から放射されるガンマ線を検出し、被検体の断層面内におけるＲＩの濃度分布を画像化する。なお、ＰＥＴ装置１１０による検査では、ポジトロン核種を含む放射性薬剤が被検体に投与される。ＳＰＥＣＴ装置１２０による検査は、シングルフォトン核種を含む放射性薬剤が被検体に投与される。
【００１３】
ＰＥＴ装置１１０は、通常のＰＥＴ機能を有しており、被検体内からガンマ線が放出される工程、すなわち被検体内からガンマ線を照射する放射線照射工程を含む検査に用いられる。また、ＰＥＴ装置１１０は、検査が完了すると、ＰＥＴ撮影により収集したＰＥＴ画像、当該ＰＥＴ画像に対応するガンマ線照射記録、および被検体に投与された放射性薬剤の情報を、ネットワークを介して被ばく線量管理システム１０に送信する。
【００１４】
ＳＰＥＣＴ装置１２０は、通常のＳＰＥＣＴ機能を有しており、被検体内からガンマ線が放出される工程、すなわち被検体内からガンマ線を照射する放射線照射工程を含む検査に用いられる。また、ＳＰＥＣＴ装置１２０は、検査が完了すると、ＳＰＥＣＴ撮影により収集したＳＰＥＣＴ画像、当該ＳＰＥＣＴ画像に対応するガンマ線照射記録、および被検体に投与された放射性薬剤の情報を、ネットワークを介して被ばく線量管理システム１０に送信する。
【００１５】
被ばく線量管理システム１０は、ＰＥＴ画像やＳＰＥＣＴ画像にもとづいて、各臓器に対する放射線薬剤の集積量を同定することができる。被ばく線量管理システム１０は、各臓器に対する放射性薬剤の集積量を、放射線吸収係数の体内分布の情報にもとづいて補正してもよい。放射線吸収係数の体内分布としては、一般化されたモデルを用いてもよい。また、ＰＥＴ検査やＳＰＥＣＴ検査を受診する患者が事前にＸ線ＣＴ装置１３０やＭＲＩ装置１７０などの検査を受けている場合は、Ｘ線ＣＴ画像やＭＲＩ画像を利用して放射線吸収係数の体内分布を同定してもよい。
【００１６】
たとえば、ＰＥＴ検査やＳＰＥＣＴ検査などの核医学診断装置を用いた検査が予約されると、必要な放射性薬剤のオーダーが出される。放射性薬剤は、検査施設外のメーカーで生成されるか、または検査施設内で生成される。検査施設外のメーカーで生成される場合は、検査施設（たとえば病院など）への配送時間を考慮して多めの薬剤が用意される。
【００１７】
オーダーには放射性薬剤の種類、量あるいは検査で必要な放射性薬剤の量、検査予定日時が含まれる。メーカーから出荷される薬剤には薬剤生成時間、放射性薬剤の量の情報が付加される。これらの放射性薬剤の情報は、被ばく線量管理システム１０に与えられる。
【００１８】
また、入手した薬剤は検査予定時間の一定時間前に患者に投与される。この投与時間も同様に、被ばく線量管理システム１０に与えられる。
【００１９】
Ｘ線ＣＴ装置１３０は、Ｘ線照射工程を含む検査に用いられ、通常のＣＴ機能を有しており、さらに、検査が完了すると、Ｘ線ＣＴ撮影により収集したＸ線ＣＴ画像および当該Ｘ線ＣＴ画像に対応するＸ線照射記録を被ばく線量管理システム１０に送信する機能をもっている。なお、Ｘ線ＣＴ画像は、被ばく線量管理システム１０側で位置合わせに用いることから、適宜、縮小したサイズで送信することが好ましい。
【００２０】
Ｘ線照射記録は、Ｘ線光学系の幾何学的情報（Ｘ線照射した検出器の領域、Ｘ線検出器の位置・角度、Ｘ線管球の位置・角度、Ｘ線管球前のビームハードニングフィルタの種類など）、Ｘ線条件を含んでいる。また、Ｘ線照射記録は、被検体ＩＤ、Ｘ線照射工程の識別情報、およびＸ線照射工程の日時を示す日時情報を含んでいる。他の装置１４０−１６０のＸ線照射記録も同様である。なお、たとえばＸ線アンギオ装置１４０での透視（低線量でのＸ線照射）などでは画像が保存されてない場合があるが、その場合は対応する画像なしでＸ線照射記録だけ送れば良い。これは他の装置でも同様である。
【００２１】
Ｘ線アンギオ装置１４０は、Ｘ線照射工程を含む検査または治療に用いられ、通常のアンギオ（angiography）機能を有しており、さらに、検査または治療が完了すると、血管造影撮影により収集したＸ線画像および当該Ｘ線画像に対応するＸ線照射記録を被ばく線量管理システム１０に送信する機能をもっている。
【００２２】
Ｘ線透視撮影装置１５０は、Ｘ線照射工程を含む検査または治療に用いられ、通常のＸ線透視撮影機能を有しており、さらに、検査または治療が完了すると、Ｘ線透視撮影により収集したＸ線画像および当該Ｘ線画像に対応するＸ線照射記録を被ばく線量管理システム１０に送信する機能をもっている。
【００２３】
Ｘ線一般撮影装置１６０は、Ｘ線照射工程を含む検査に用いられ、通常のＸ線一般撮影機能を有しており、さらに、検査または治療が完了すると、Ｘ線一般撮影により収集したＸ線画像および当該Ｘ線画像に対応するＸ線照射記録を被ばく線量管理システム１０に送信する機能をもっている。
【００２４】
一方、被ばく線量管理システム１０は、図１に示すように、入力回路１１、ディスプレイ１２、記憶回路１３、ネットワークＩ／Ｆ１４、および処理回路１５を有する。
【００２５】
入力回路１１は、たとえばトラックボール、スイッチボタン、マウス、キーボード、テンキーなどの一般的な入力装置により構成され、ユーザの操作に対応した操作入力信号を処理回路１５に出力する。
【００２６】
ディスプレイ１２は、たとえば液晶ディスプレイやＯＬＥＤ（Organic Light Emitting Diode）ディスプレイなどの一般的な表示出力装置により構成され、処理回路１５の制御に従って被ばく線量マップ画像などを表示する。
【００２７】
記憶回路１３は、磁気的もしくは光学的記録媒体または半導体メモリなどの、プロセッサにより読み取り可能な記録媒体を含んだ構成を有する。これら記憶媒体内のプログラムおよびデータの一部または全部は電子ネットワークを介した通信によりダウンロードされるように構成してもよい。
【００２８】
記憶回路１３は、ネットワークを介して受けた放射性薬剤の情報、核医学診断画像を記憶する。また、記憶回路１３は、人体画像、被ばく管理情報および装置固有情報などを記憶する。被ばく管理情報には、人体画像管理情報および被ばく線量管理情報が含まれる。また、記憶回路１３は、あらかじめ放射性薬剤の集積モデル、放射性薬剤の血管対流モデル、放射性薬剤の泌尿器排出モデルを記憶する。
【００２９】
記憶回路１３に記憶される放射性薬剤の情報には、検査オーダーに含まれた放射性薬剤の種類および量、検査予定日時の情報が含まれる。また、この放射性薬剤の情報には、放射性薬剤が被検体に投与された時間が含まれる。また、放射性薬剤がメーカーから出荷された場合にはさらに、出荷時の放射性薬剤の量および放射性薬剤の生成時間の情報が含まれる。
【００３０】
図２は、人体構造モデルＭの一例を示す説明図である。人体画像データは、人体のほぼ全身の三次元データであるとよい。人体画像としては、被検体ごとに、被検体のＸ線ＣＴ画像、または放射線吸収係数（たとえば、Ｘ線吸収係数）で表現された人体構造モデルＭ（図２参照）のいずれか一方が用いられる。
【００３１】
被検体ごとの人体画像は、臓器情報が含まれる。この被検体ごとの人体画像には、放射性薬剤による臓器の被ばく線量の情報が関連付けられる。また、被検体ごとの人体画像にはさらに、放射線照射工程ごとに、被ばく線量および被ばく領域の情報が関連付けられる。人体画像は、過去に作成された人体画像が再利用されていてもよい。また、人体画像は、人体画像ＩＤにより、識別可能となっている。また、被ばく線量は皮膚被ばく線量および臓器被ばく線量を含んでいてもよい。核医学検査の場合、被ばく線量の単位としては、例えば薬剤（ＲＩ：radioisotope）の投与量に対応する単位である［ＭＢｑ］等が適宜使用可能となっている。また、Ｘ線照射を伴う検査の場合、被ばく線量の単位としては、たとえば、［μＲ／ｍｉｎ］、［μＧｙ］および［ｍＧｙ］等が適宜、使用可能となっている。
【００３２】
また、記憶回路１３は、いくつかの体形の人体構造モデルＭをあらかじめ記憶しておいてもよい。人体構造モデルＭは、骨構造を有するモデルであってもよい。このような人体構造モデルＭは、たとえばＸ線ＣＴ画像のデータバンクなどから作成可能となっている。また、政府機関、学会など公的機関で調査したデータに基づいて作成された標準的な人体画像を使用しても良い。また、作成方法としては、典型的には内部構造細部まで精巧に作られた人体疑似模型（ファントム）を、たとえばＸ線ＣＴ装置１３０でヘリカルスキャン等のボリュームスキャンにより撮影して三次元データ（ボリュームデータとも言う）を構成し、この三次元データから閾値処理等で各臓器の三次元画像に関するデータを抽出する方法などが適宜、使用可能となっている。また標準的なＸ線ＣＴ画像やＭＲＩ画像などの標準画像を用い、これに事前に生成された被検体のＸ線検査画像、Ｘ線ＣＴ画像、ＭＲＩ画像を元にして体型に関わる情報を補正して用いても良い。また、被検体のＸ線ＣＴ画像等が存在する部位はこのＸ線ＣＴ画像等を使用し、それ以外は標準画像を使用するような混合モデルを人体画像としてもよい。
【００３３】
ここで、本実施形態において、「臓器」には、神経組織・筋組織・上皮組織・結合組織など数種類の細胞が組み合わさって一定の機能をもつ「器官」を含むものとする。たとえば、本実施形態において、脳、大脳、小脳は全て「臓器」に含まれる。また、血管も筋肉・神経・上皮・結合組織によって構成された器官であり、本実施形態では臓器というものとする。
【００３４】
人体画像管理情報は、被検体ＩＤ、人体画像ＩＤ、放射線照射工程の識別情報、被検体位置、体勢および体形を関連付けた情報である。
【００３５】
被ばく線量管理情報は、被検体ＩＤ、人体画像ＩＤ、検査日時を示す日時情報、放射性薬剤による被ばく臓器および臓器被ばく線量、ならびに、放射性薬剤とＸ線照射による皮膚被ばく領域および皮膚被ばく線量、を関連付けた情報である。
【００３６】
装置固有情報は、各装置１１０−１７０に固有の情報である。装置固有情報としては、たとえば、ビームハードニングフィルタの形状・材質、寝台の材質・形状、Ｘ線管球と検出器の間にあるその他の構造（例えばＸ線ＣＴ装置１３０のガントリーカバーなど）が含まれる。
【００３７】
ネットワークＩ／Ｆ１４は、ネットワークの形態に応じた種々の情報通信用プロトコルを実装し、各装置１１０−１７０と互いにデータ送受信可能に接続される。この接続には、赤外線通信による接続や電子ネットワークを介した電気的な接続などを適用することができる。ここで電子ネットワークとは、電気通信技術を利用した情報通信網全般を意味し、無線／有線の病院基幹ＬＡＮ（Local Area Network）やインターネット網のほか、電話通信回線網、光ファイバ通信ネットワーク、ケーブル通信ネットワークおよび衛星通信ネットワークなどを含む。
【００３８】
処理回路１５は、記憶回路１３に記憶されたプログラムを読み出して実行することにより、被検体に投与された放射性薬剤による被ばく線量の影響を考慮して被ばく線量管理を行うための処理を実行するプロセッサである。
【００３９】
図１に示すように、処理回路１５は、少なくとも人体画像管理機能２１、被ばく線量管理機能２２、装置固有情報管理機能２３、および薬剤情報取得機能２４を実現する。これらの各機能はそれぞれプログラムの形態で記憶回路１３に記憶されている
【００４０】
人体画像管理機能２１は、人体画像および人体画像管理情報を管理する機能である。人体画像管理機能２１は、第１の放射線照射工程より後の第２の放射線照射工程における被検体の位置と、人体三次元画像の位置との間の位置ずれを補正する位置ずれ補正機能を有する。なお、位置ずれ補正機能は、被検体の放射線画像を収集するごとに、位置ずれを局所的に補正してもよい。また、位置ずれ補正機能は、位置ずれが一定量以下になると、位置ずれの補正を終了してもよい。
【００４１】
また、人体画像管理機能２１は、人体画像が人体構造モデルＭである場合、各放射線照射工程における被検体の放射線画像と人体構造モデルＭとの間で互いに局所的な部位を比較し、当該局所的な部位を互いに対応付ける機能を有してもよい。また、人体画像管理機能２１は、対応付けた結果に基づいて人体構造モデルＭを歪ませる機能を有してもよい。
【００４２】
被ばく線量管理機能２２は、被ばく線量管理情報を管理する機能であり、被検体に投与された放射性薬剤による検査外の期間を含む経時的な被ばく線量の影響を考慮して被ばく線量を管理する。被ばく線量管理機能２２は、被検体の核医学診断画像にもとづいて、放射性薬剤の集積臓器および集積量を同定する。被ばく線量管理機能２２は、この同定した集積量にもとづいて、放射性薬剤の投与時以降の任意時点における被検体の臓器の被ばく線量を求める。各臓器の被ばく線量は、臓器への集積度、放射性薬剤の種類、量、薬剤を生成してからの経過時間のいずれか１つまたはこれらの組み合わせ情報にもとづいて同定する。
【００４３】
図３は、特定の臓器の放射性薬剤の時間変化の一例を示す説明図である。特定の臓器としては、たとえば肝臓や小腸などが挙げられる。また、図４は、血管内の放射性薬剤の濃度の時間変化の一例を示す説明図である。また、図５は、泌尿器からの放射性薬剤の排出量の時間変化の一例を示す説明図である。
【００４４】
放射性薬剤の集積モデル、血管対流モデル、泌尿器排出モデルは、記憶回路１３にあらかじめ記憶されている。集積モデルおよび血管対流モデルは、臓器ごとに異なるモデルがあらかじめ記憶回路１３に記憶されてもよい。
【００４５】
被ばく線量管理機能２２は、核医学診断画像から、検査時間（撮像時）における放射性薬剤の集積度（集積量、濃度）を集積臓器ごとに同定する。そして、被ばく線量管理機能２２は、検査時間における各臓器の放射性薬剤の集積量と、記憶回路１３に記憶された集積モデルと、にもとづいて、各臓器における放射性薬剤の集積度の時間変化をモデル化し、薬剤投与時以降の任意時点における集積臓器および周辺臓器の被ばく線量を求める。
【００４６】
一方、被検体に投与されて臓器に集積後、徐々に排出される薬剤は、血管に流出して血管を対流するモデル（血流対流モデル、図４参照）、あるいは腎臓から膀胱へと経由し尿として排出されるモデル（泌尿器排出モデル、図５参照）により被検体内の移動の時間変化をモデル化して推定する。
【００４７】
そこで、被ばく線量管理機能２２は、被検体に投与された放射性薬剤の情報と同定した集積量とにもとづいて、血管及び膀胱に排出される放射性薬剤の量を同定する。そして、被ばく線量管理機能２２は、血管対流モデルと、同定した血管及び膀胱に排出される放射性薬剤の量と、にもとづいて、放射性薬剤の投与時以降における血管内の放射性薬剤の濃度の時間変化を求めることにより、放射性薬剤の投与以降の所定時点における血管の周辺臓器の被ばく線量を求める。また、被ばく線量管理機能２２は、泌尿器排出モデルと、同定した血管及び膀胱に排出される放射性薬剤の量と、にもとづいて、放射性薬剤の投与時以降における泌尿器内の放射性薬剤の濃度の時間変化を求めることにより、放射性薬剤の投与時以降の所定時点における泌尿器の被ばく線量を求める。
【００４８】
たとえば、被ばく線量管理機能２２は、放射性薬剤の投与量と、投与時間からの経過時間、核医学診断画像から同定した臓器への集積量から、血流対流モデルを補正し、薬剤投与時から検査時までの血流対流量と排出量とを同定する。そして、被ばく線量管理機能２２は、血流対流量と排出量の時間的変化とにもとづいて、薬剤投与時以降における血管内の放射性薬剤の濃度の時間変化を求め、この濃度の時間変化にしたがって、投与時以降の任意時点における血管の周辺臓器の被ばく線量を求める。このとき、血管の被ばく線量を求めてもよい。
【００４９】
また、被ばく線量管理機能２２は、泌尿器排出モデルと血管及び膀胱に排出される薬剤の量とにもとづいて、薬剤投与時以降における泌尿器内の放射性薬剤の濃度の時間変化を求め、この濃度の時間変化にしたがって、薬剤投与時以降の任意時点における泌尿器内および泌尿器の周辺臓器の被ばく線量を求める。
【００５０】
また、被ばく線量管理機能２２は、薬剤投与時以降の任意時点における被検体の臓器の被ばく線量を示す画像を人体画像に重畳した臓器被ばく線量マップ画像を生成し、ディスプレイ１２に表示させる。
【００５１】
さらに、被ばく線量管理機能２２は、人体画像上に第１のＸ線照射工程における被検体の皮膚被ばく線量および皮膚被ばく領域を記録する。また、人体画像管理機能２１により位置ずれを補正した人体画像上に、第２の放射線照射工程内における被ばく線量および被ばく領域をさらに記録する。
【００５２】
また、被ばく線量管理機能２２は、人体画像管理機能２１により補正された量に基づいて被ばく線量および被ばく領域を再計算してもよい。また、識別情報、または日時を含む時間範囲を示す時間範囲情報を指定した表示要求の入力を受け付けると、当該指定された識別情報または時間範囲情報にもとづいて、記憶回路１３から被ばく線量および被ばく領域を読み出し、読み出した被ばく線量および被ばく領域の総和を示す画像を人体画像の皮膚に重畳した皮膚被ばく線量マップ画像を生成し、ディスプレイ１２に表示させてもよい。
【００５３】
また、このとき被ばく線量管理機能２２は、読み出した被ばく線量および被ばく領域と、当該読出した日時情報が示す日時からの経過時間によって決まる回復度とにもとづいて、未回復の被ばく線量および被ばく領域の総和をそれぞれ求め、この未回復の被ばく線量および被ばく領域の総和を示す画像を人体画像の皮膚に重畳した皮膚被ばく線量マップ画像を生成し、ディスプレイ１２に表示させてもよい。なお、回復度は部位によって異なる値としてもよい。
【００５４】
装置固有情報管理機能２３は、各装置１１０−１７０に固有の情報を記憶回路１３に記憶させる。
【００５５】
薬剤情報取得機能２４は、被検体に投与された放射性薬剤の情報をＰＥＴ装置１１０およびＳＰＥＣＴ装置１２０から取得し、記憶回路１３に記憶させる。
【００５６】
次に、本実施形態に係る被ばく線量管理システム１０の動作の一例について説明する。
【００５７】
まず、被検体に投与された放射性薬剤による被ばく線量を経時的に管理する動作について説明する。
【００５８】
図６は、図１に示す処理回路１５により、被検体に投与された放射性薬剤による被ばく線量の影響を考慮して被ばく線量管理を行う際の手順の一例を示すフローチャートである。図６において、Ｓに数字を付した符号はフローチャートの各ステップを示す。
【００５９】
まず、ステップＳ１において、ＰＥＴ装置１１０またはＳＰＥＣＴ装置１２０による検査が完了する。次に、ステップＳ２において、被ばく線量管理システム１０は、検査を完了したＰＥＴ装置１１０またはＳＰＥＣＴ装置１２０からネットワークを介して、検査で取得した核医学診断画像および放射性薬剤の情報を取得する。
【００６０】
次に、ステップＳ３において、人体画像管理機能２１は、核医学診断画像にもとづいて人体画像管理処理を実行する。次に、ステップＳ４において、被ばく線量管理機能２２は、被検体に投与された放射性薬剤による検査外の期間を含む経時的な被ばく線量の影響を考慮した被ばく線量管理処理を実行する。次に、ステップＳ５において、被ばく線量管理機能２２は、薬剤投与時以降の任意時点における被検体の臓器の被ばく線量を示す画像を人体画像に重畳した臓器被ばく線量マップ画像をディスプレイ１２に表示させる、被ばく線量マップ表示処理を実行する。
【００６１】
後日、次回の核医学診断検査・治療が行われ、検査治療が完了すると（ステップＳ１）、同様にステップＳ２−Ｓ５が実行される。
【００６２】
以上の手順により、被検体に投与された放射性薬剤による、検査外の期間を含む経時的な被ばく線量の影響を考慮して、被ばく線量管理を行うことができる。
【００６３】
図７は、図６のステップＳ３で人体画像管理機能２１により実行される人体画像管理処理の手順の一例を示すサブルーチンフローチャートである。
【００６４】
人体画像管理機能２１は、被検体ＩＤにもとづいて記憶回路１３に記憶された被ばく管理情報（人体画像管理情報および被ばく線量管理情報）を検索する。そして、人体画像管理機能２１は、被ばく管理情報がある場合には（ステップＳ３１のＹＥＳ）、過去のＸ線ＣＴ画像またはＭＲＩ画像を人体画像としてディスプレイ１２に表示する（ステップＳ３２）。
【００６５】
人体画像管理機能２１は、過去に撮影したＸ線ＣＴ画像やＭＲＩ画像に対し、今回撮影した画像と比較して人体画像の位置を補正する。たとえば、今回の医療工程がＸ線検査である場合、人体画像管理機能２１は、Ｘ線光学系の幾何学的情報に従って投影し、対応するＸ線画像にマッチするように人体画像の位置、体勢を補正する（ステップＳ３５）。このように、人体画像管理機能２１は、被検体の医用画像を収集するごとに、位置ずれを局所的に補正し、位置ずれが一定量以下になると、位置ずれの補正を終了する。これは人体構造モデルＭの場合でも同様である。
【００６６】
一方、被ばく管理情報が無い場合には（ステップＳ３１のＮＯ）、人体画像管理機能２１は、記憶回路１３内のいくつかの人体構造モデルＭをディスプレイ１２に表示し（ステップＳ３３）、その中から被検体体形に最も近い人体構造モデルＭを人体元画像として選択する（ステップＳ３４）。この選択は、被検体体形の数値（たとえば身長、頭周囲、胸周囲、腹周囲、腕周囲、足周囲など）と、人体構造モデルＭの数値とを比較してもよいし、ユーザによる入力回路１１を介した人体構造モデルＭの指定を受け付けてもよい。
【００６７】
そして、人体画像管理機能２１は、核医学診断検査における被検体の位置と、人体構造モデルＭの位置との間の位置ずれを補正する（ステップＳ３５）。人体画像管理機能２１は、たとえば各Ｘ線照射工程における被検体のＸ線画像と人体構造モデルＭとの間で互いに局所的な部位を比較し、当該局所的な部位を互いに対応付けた後、対応付けた結果に基づいて人体構造モデルＭを歪ませる。また、たとえば、人体画像管理機能２１は、選択された人体構造モデルＭをＸ線ＣＴ画像と同様にＸ線光学系の幾何学的情報に従って投影し、対応するＸ線画像にマッチするように人体構造モデルＭの位置、体勢、体形を補正する。また、補正後の人体画像に関する人体画像管理情報は、人体画像管理機能２１により、記憶回路１３に書込まれる。人体画像管理情報は、被検体ＩＤ、人体画像ＩＤ、放射線照射工程の識別情報、被検体位置、体勢および体形を関連付けた情報である。
【００６８】
図８は、図６のステップＳ４で被ばく線量管理機能２２により実行される被ばく線量管理処理の手順の一例を示すサブルーチンフローチャートである。
【００６９】
ステップＳ４１において、被ばく線量管理機能２２は、核医学診断画像にもとづいて、検査時間（撮像時）における放射性薬剤の集積度（集積量、濃度）を集積臓器ごとに同定する。
【００７０】
次に、ステップＳ４２において、被ばく線量管理機能２２は、検査時間における各臓器の放射性薬剤の集積量と、記憶回路１３に記憶された集積モデルと、にもとづいて、各臓器における放射性薬剤の集積度の時間変化を求める（モデル化する）（図３参照）。
【００７１】
次に、ステップＳ４３において、被ばく線量管理機能２２は、薬剤投与時以降の任意時点における集積臓器および周辺臓器の被ばく線量を求める。
【００７２】
次に、ステップＳ４４において、被ばく線量管理機能２２は、放射性薬剤の投与量と、投与時間からの経過時間、核医学診断画像から同定した臓器への集積量とから、血流対流モデルを補正し、薬剤投与時から検査時までの血流対流量と排出量とを同定する。そして、被ばく線量管理機能２２は、血流対流量と排出量の時間的変化とにもとづいて、薬剤投入時以降における血管内の放射性薬剤の濃度の時間変化を求める（図４参照）。
【００７３】
次に、ステップＳ４５において、被ばく線量管理機能２２は、この濃度の時間変化にしたがって、薬剤投与時以降の任意時点における血管の周辺臓器の被ばく線量を求める。このとき、血管の被ばく線量を求めてもよい。
【００７４】
次に、ステップＳ４６において、被ばく線量管理機能２２は、泌尿器排出モデルと血管及び膀胱に排出される薬剤の量とにもとづいて、薬剤投与時以降における泌尿器内の放射性薬剤の濃度の時間変化を求める。
【００７５】
次に、ステップＳ４７において、被ばく線量管理機能２２は、この濃度の時間変化にしたがって、薬剤投与時以降の任意時点における泌尿器内および泌尿器の周辺臓器の被ばく線量を求める。
【００７６】
次に、ステップＳ４８において、被ばく線量管理機能２２は、薬剤投与時以降の任意時点における被ばく線量を位置ごとに加算することにより、薬剤投与時以降の任意時点における被検体の臓器の被ばく線量を示す画像を人体画像に重畳した臓器被ばく線量マップ画像を生成し、図６のステップＳ５に進む。
【００７７】
図９は、図６のステップＳ５で被ばく線量管理機能２２により実行される被ばく線量マップ表示処理の手順の一例を示すサブルーチンフローチャートである。
【００７８】
ステップＳ５１において、被ばく線量管理機能２２は、識別情報、または日時を含む時間範囲を示す時間範囲情報を指定した表示要求の入力を受け付けると、当該指定された識別情報または時間範囲情報に応じた時点における臓器被ばく線量マップ画像と日時情報を記憶回路１３から読み出す（ステップＳ５２）。たとえば、過去１週間分の時間範囲情報を指定する表示要求を受け付けた場合、被ばく線量管理機能２２は、過去１週間分の臓器被ばく線量マップ画像と日時情報を記憶回路１３から読み出す。
【００７９】
被ばく線量管理機能２２は、読み出した臓器被ばく線量マップ画像と、当該読み出した日時情報が示す日時からの経過時間によって（回復曲線上で）決まる回復度とにもとづいて、未回復の臓器被ばく線量マップ画像を生成する（ステップＳ５３）。例えば１週間前の被ばくについては９５％回復しているとすると、未回復の臓器被ばく線量マップ画像に対して、当該１週間前の辞典の臓器被ばく線量マップ画像データを５％分だけ加算する。なお、回復度は臓器によって異なる値としてもよい。すなわち、被ばく線量管理機能２２は、臓器ごとに異なる回復曲線を備えていてもよい。
【００８０】
また、ステップＳ５３の回復曲線にもとづく補正をしない場合には、被ばく線量管理機能２２は、ステップＳ５２において、表示要求内の識別情報または時間範囲情報にもとづいて、記憶回路１３から臓器被ばく線量マップ画像を読み出し（日時情報は読み出さない）、ステップＳ５３において、読み出した臓器被ばく線量マップ画像の総和を求める。
【００８１】
図１０は、臓器被ばく線量マップ画像ＭＰｏの一例を示す説明図である。
【００８２】
被ばく線量管理機能２２は、臓器被ばく線量マップ画像ＭＰｏをディスプレイ１２に表示する（ステップＳ５５）。臓器被ばく線量マップ画像ＭＰｏは、たとえば図１０に示すように、人体構造モデルＭの皮膚の画像を所定の透明度（図１０の２点鎖線参照）で示し、薬剤投与時以降の任意時点における被検体の臓器の被ばく線量を示す画像をソリッドまたは所定の透明度よりも低い透明度かつ各臓器の被ばく線量に応じた表示態様（図１０のハッチング参照）で示すとよい。ここで、被ばく線量に応じた表示態様としては、被ばく線量に応じたカラーマップを用いて色付けする表示態様や、被ばく線量に応じた輝度を付す表示態様、被ばく線量を示す数値を含む文字情報や、これらの組み合わせなどを用いることができる。
【００８３】
続いて、Ｘ線照射工程による被ばく線量を経時的に管理する動作について説明する。
【００８４】
図１１は、皮膚被ばく線量マップ画像ＭＰｓの一例を示す説明図である。また、図１２は、図１に示す処理回路１５により、Ｘ線照射工程による被ばく線量を経時的に管理する処理を行う際の手順の一例を示すフローチャートである。図１２において、Ｓに数字を付した符号はフローチャートの各ステップを示す。
【００８５】
被ばく線量管理機能２２は、放射性薬剤による臓器被ばく線量管理と類似の手法により、Ｘ線照射工程による皮膚被ばく線量マップ画像ＭＰｓを生成してディスプレイ１２に表示させる（図１１参照）。
【００８６】
いま、Ｘ線ＣＴ装置１３０、Ｘ線アンギオ装置１４０、Ｘ線透視撮影装置１５０およびＸ線一般撮影装置１６０のうち、いずれかの装置で検査または治療が完了したとする（ステップＳ１０１）。
【００８７】
Ｘ線アンギオ装置１４０は、検査または治療に含まれるＸ線照射工程で収集したＸ線画像と対応するＸ線照射記録を全て被ばく線量管理システム１０にネットワークＩ／Ｆ１４経由で送る。ここで、Ｘ線照射記録にはＸ線光学系の幾何学的情報、Ｘ線条件、被検体ＩＤ、Ｘ線照射工程の識別情報、およびＸ線照射工程の日時情報が含まれる。
【００８８】
被ばく線量管理システム１０においては、ネットワークＩ／Ｆ１４により、このＸ線画像およびＸ線照射記録を取得し（ステップＳ１０２）、このＸ線画像およびＸ線照射記録を人体画像管理機能２１に送出する。
【００８９】
人体画像管理機能２１は、このＸ線画像およびＸ線照射記録にもとづいて、人体画像管理を実行する（ステップＳ１０３）（図７に示した人体画像管理処理手順参照）。
【００９０】
次に、被ばく線量管理機能２２は、被ばく線量管理を実行する（ステップＳ１０４）。
【００９１】
具体的には、被ばく線量管理機能２２は、Ｘ線光学系の幾何学的情報、Ｘ線条件（含む照射時間）を含むＸ線照射記録にもとづいて、被検体表面における皮膚被ばく線量および皮膚被ばく領域を同定する。なお、ステップＳ１０３で被検体の位置、体勢、体形などを局所的に補正すると、補正された量に基づいて皮膚被ばく線量および皮膚被ばく領域が再計算される。被ばく線量管理機能２２は、同定した皮膚被ばく線量および皮膚被ばく領域を人体画像上に加算していく。
【００９２】
また、被ばく線量管理機能２２は、Ｘ線照射工程毎に、加算結果を人体画像上に記録する。たとえば１日目のＣＴ検査、２日目のＸ線アンギオ検査、３日目のＸ線アンギオ装置１４０による治療に伴う被ばく線量は、別々のデータとして人体画像上に記録する。すなわち、被ばく線量管理機能２２は、Ｘ線照射工程毎に、被ばく線量管理情報を記憶回路１３に書込む。なお、この場合、被ばく線量管理情報は、被検体ＩＤ、人体三次元画像ＩＤ、Ｘ線照射工程の識別情報、Ｘ線照射工程の日時を示す日時情報、皮膚被ばく線量および皮膚被ばく領域を関連付けた情報である。
【００９３】
そして、被ばく線量管理機能２２は、皮膚被ばく線量マップ画像ＭＰｓの表示処理を実行する（ステップＳ１０５）（図９に示した被ばく線量マップ表示処理手順参照）。
【００９４】
具体的には、ステップＳ１０５において、被ばく線量管理機能２２は、指定された識別情報または時間範囲情報にもとづいて、記憶回路１３から皮膚被ばく線量、皮膚被ばく領域および日時情報を読み出す。たとえば、過去１週間分の時間範囲情報を指定する表示要求を受け付けた場合、被ばく線量管理機能２２は、過去１週間分の皮膚被ばく線量、皮膚被ばく領域および日時情報を管理メモリ５２から読み出す。
【００９５】
被ばく線量管理機能２２は、読み出した皮膚被ばく線量および皮膚被ばく領域と、当該読出した日時情報が示す日時からの経過時間によって（回復曲線上で）決まる回復度とにもとづいて、未回復の皮膚被ばく線量および皮膚被ばく領域の総和をそれぞれ求める。たとえば１週間前のＸ線被ばくについては９５％回復しているとすると、人体画像上の被ばく線量に対して５％分だけ加算する。なお、回復度は部位によって異なる値としてもよい。すなわち、被ばく線量管理機能２２は、部位毎に異なる回復曲線を備えていてもよい。
【００９６】
また、回復曲線にもとづく補正をしない場合には、被ばく線量管理機能２２は、表示要求内の識別情報または時間範囲情報にもとづいて、記憶回路１３から皮膚被ばく線量および皮膚被ばく領域を読み出し（日時情報は読み出さない）、皮膚被ばく線量および皮膚被ばく領域の総和をそれぞれ求める。
【００９７】
いずれにしても、被ばく線量管理機能２２は、それぞれ求めた皮膚被ばく線量および皮膚被ばく領域を示す画像を人体画像に重畳した皮膚被ばく線量マップ画像ＭＰｓを生成してディスプレイ１２に表示する。このとき、たとえば図１１に示すように、人体構造モデルＭ上に皮膚被ばく線量および皮膚被ばく領域Ａ１〜Ａ３が記録された被ばく線量マップ画像ＭＰｓがディスプレイ１２に表示される。
【００９８】
以上により、今回の検査・治療に伴う被ばく線量の管理が終了する。なおここではＸ線照射工程については皮膚被ばく線量などのみを計算しているが、皮膚被ばくと同時に臓器被ばくも同時に計算し、管理しても良い。
【００９９】
後日、次回の検査・治療が行われ、検査治療が完了すると（ステップＳ１０１）、前述同様にステップＳ１０２−１０５が実行される。また、被ばく線量管理機能２２は、記憶回路１３内の皮膚被ばく線量および日時情報にもとづいて、一定期間経過後の皮膚被ばく線量をゼロ値に更新する。
【０１００】
また、被ばく線量管理機能２２は、人体画像の皮膚の画像は所定の透明度で半透明に示すとともに、所定以上の被ばく線量を有する臓器の画像は皮膚の透明度よりも低い透明度かつ各臓器の被ばく線量に応じた表示態様で示すように、臓器被ばく線量マップ画像ＭＰｏを生成するとともに（図１０参照）、このマップ画像ＭＰｏに皮膚被ばく線量をさらに重畳してもよい。この場合、被ばく領域のそれぞれの画像を皮膚と同様の透明度かつ各被ばく領域の被ばく線量に応じた表示態様で示した皮膚被ばく線量マップ画像ＭＰｓを生成し、臓器被ばく線量マップ画像ＭＰｓの半透明な皮膚の画像に対して、皮膚被ばく線量画像マップ画像を重畳するとよい。
【０１０１】
また、被ばく線量管理機能２２は、臓器被ばく線量マップ画像ＭＰｏおよび皮膚被ばく線量マップ画像ＭＰｓのいずれか一方から他方へと切り替えて表示してもよいし、並列に表示してもよい。これらの表示方法は、ユーザによる入力回路１１を介した指示に応じて決定されてもよい。
【０１０２】
本実施形態に係る被ばく線量管理システム１０は、被検体に投与された放射性薬剤の被検体内における濃度変化をモデル化し、被検体の臓器の被ばく線量を経時的に求めることができる。このため、核医学診断画像の撮像時のみならず、被検体に投与された放射性薬剤による検査前および検査終了後の期間を含む経時的な被ばく線量の影響を考慮した被ばく線量管理を行なうことができる。このため、検査時の被ばくのみならず、検査時以外の放射性薬剤に起因する被ばくを含めて被検体の被ばく線量を管理することができる。したがって、本実施形態に係る被ばく線量管理システム１０によれば、たとえば医師は、検査による患者に対する放射線被ばくに関するリスクをより正確に判断することができる。
【０１０３】
また、本実施形態に係る被ばく線量管理システム１０によれば、複数の検査の被ばく線量管理情報を統合することができるため、１検査だけでなく、診断、治療、フォローアップまでのワークアップ中におけるトータルでの放射線被ばく障害のリスクを容易かつ正確に把握することができる。
【０１０４】
また、本実施形態に係る被ばく線量管理システム１０は、さらに、人体画像上に第１の放射線照射工程における被検体の被ばく線量および被ばく領域を記録し、第２の放射線照射工程における被検体の位置と人体画像の位置との間の位置ずれを補正し、当該位置ずれを補正した人体画像上に、第２の放射線照射工程内における被ばく線量および被ばく領域をさらに記録することができ、複数回の放射線照射によって蓄積する被ばく線量を管理することができる。
【０１０５】
本実施形態における処理回路１５の被ばく線量管理機能２２および薬剤情報取得機能２４は、特許請求の範囲における被ばく線量管理部および放射性薬剤情報取得部にそれぞれ対応する。
【０１０６】
また、本実施形態における処理回路１５に係る「プロセッサ」という文言は、たとえば、専用または汎用のＣＰＵ（Central Processing Unit）、ＧＰＵ（Graphics Processing Unit）、あるいは、特定用途向け集積回路（Application Specific Integrated Circuit：ＡＳＩＣ）、プログラマブル論理デバイス（たとえば、単純プログラマブル論理デバイス（Simple Programmable Logic Device：ＳＰＬＤ）、複合プログラマブル論理デバイス（Complex Programmable Logic Device：ＣＰＬＤ）、およびフィールドプログラマブルゲートアレイ（Field Programmable Gate Array：ＦＰＧＡ））等の回路を意味する。プロセッサは、記憶回路に保存されたプログラムを読み出して実行することにより、各種機能を実現する。
【０１０７】
また、記憶回路１３にプログラムを保存するかわりに、プロセッサの回路内にプログラムを直接組み込むよう構成してもよい。この場合、プロセッサは回路内に組み込まれたプログラムを読み出して実行することで各種機能を実現する。また、図１には単一の処理回路１５が各機能を実現する場合の例について示したが、複数の独立したプロセッサを組み合わせて処理回路１５を構成し、各プロセッサがプログラムを実行することにより各機能を実現してもよい。また、プロセッサが複数設けられる場合、プログラムを記憶する記憶媒体は、プロセッサごとに個別に設けられてもよいし、図１の記憶回路１３が全てのプロセッサの機能に対応するプログラムを一括して記憶してもよい。
【０１０８】
なお、本発明のいくつかの実施形態を説明したが、これらの実施形態は、例として提示したものであり、発明の範囲を限定することは意図していない。これら新規な実施形態は、その他の様々な形態で実施されることが可能であり、発明の要旨を逸脱しない範囲で、種々の省略、置き換え、変更を行うことができる。これら実施形態やその変形は、発明の範囲や要旨に含まれるとともに、特許請求の範囲に記載された発明とその均等の範囲に含まれる。
【０１０９】
たとえば、本実施形態ではＸ線照射による被ばくについては皮膚被ばく線量のみを計算しているが、たとえば目や甲状腺など放射線に対する感度の高い臓器の被ばく線量を管理してもよい。この場合、人体画像の放射線吸収係数分布を用いて臓器に到達するＸ線強度を計算し、それを元に臓器の被ばくを算出する。
【０１１０】
また、被ばく線量管理システム１０は、各装置１１０−１７０の内部にそれぞれ備えられてもよい。この場合、各装置に備えられた被ばく線量管理システム１０は、たとえばＤＩＣＯＭ(Digital Imaging and Communication in Medicine)規格に従って互いに通信し、被ばく管理情報（人体画像管理情報と被ばく線量管理情報）を共有するとよい。
【０１１１】
また、被ばく管理情報（人体画像管理情報と被ばく線量管理情報）は、医用画像に対してＤＩＣＯＭの付帯情報として付加されてもよい。この場合、被ばく管理情報はネットワーク上の画像サーバなどで一括して管理することができ、各モダリティ１１０−１７０と個別に通信せずとも、被ばく線量管理システム１０は画像サーバにアクセスするだけで全ての被ばく線量管理情報を利用可能となる。
【０１１２】
また、本発明の実施形態では、フローチャートの各ステップは、記載された順序に沿って時系列的に行われる処理の例を示したが、必ずしも時系列的に処理されなくとも、並列的あるいは個別実行される処理をも含むものである。
【符号の説明】
【０１１３】
１０  線量管理システム
１１  入力回路
１２  ディスプレイ
２２  被ばく線量管理機能（被ばく線量管理部）
２４  薬剤情報取得機能（放射性薬剤情報取得部）
Ｍ  人体構造モデル
ＭＰｏ  臓器被ばく線量マップ画像
ＭＰｓ  皮膚被ばく線量マップ画像
【図１】
0006632849.tif 000002
【図２】
0006632849.tif 000003
【図３】
0006632849.tif 000004
【図４】
0006632849.tif 000005
【図５】
0006632849.tif 000006
【図６】
0006632849.tif 000007
【図７】
0006632849.tif 000008
【図８】
0006632849.tif 000009
【図９】
0006632849.tif 000010
【図１０】
0006632849.tif 000011
【図１１】
0006632849.tif 000012
【図１２】
0006632849.tif 000013